(57)【要約】【課題】必要な伝搬特性が得られない通信装置の発生を抑制することができる無線通信システムを提供すること【解決手段】送信信号を時間周波数変換により周波数信号に変換し、周波数信号を予め決められた数毎にクラスタに分割し、伝送可能な帯域の一部にクラスタを配置して単一の第１の通信装置に送信する複数の第２の通信装置と、第１の通信装置とを具備する無線通信システムにおいて、第１の通信装置は、複数の第２の通信装置についてクラスタを配置する帯域を決定する際に、帯域を決定する対象の複数の第２の通信装置を複数の優先順位に分類し、該優先順位に従い第２の通信装置各々について帯域の決定を行うスケジューリング部を具備することを特徴とする。【選択図】図１
2010081349.tif 000002
【特許請求の範囲】
【請求項１】
送信信号を時間周波数変換により周波数信号に変換し、前記周波数信号を予め決められた数毎にクラスタに分割し、伝送可能な帯域の一部に前記クラスタを配置して単一の第１の通信装置に送信する複数の第２の通信装置と、前記第１の通信装置とを具備する無線通信システムにおいて、
前記第１の通信装置は、
複数の前記第２の通信装置について前記クラスタを配置する帯域を決定する際に、帯域を決定する対象の前記複数の第２の通信装置を複数の優先順位に分類し、該優先順位に従い前記第２の通信装置各々について前記帯域の決定を行うスケジューリング部
を具備することを特徴とする無線通信システム。
【請求項２】
請求項１に記載の無線通信システムであって、
前記優先順位は、少なくとも優先される順位と優先されない順位とに分類されており、  前記スケジューリング部は、前記優先される順位の前記第２の通信装置については、伝搬特性の良い帯域から順に選択し、前記優先されない順位の前記第２の通信装置については一定の規則により帯域を選択すること
を特徴とする無線通信システム。
【請求項３】
請求項１に記載の無線通信システムであって、
前記優先順位は、少なくとも優先される順位と優先されない順位とに分類されており、
前記スケジューリング部が前記第２の通信装置を前記優先される順位に分類する条件は、遅延時間を一定以内に保つこと、伝送品質を一定以上に保つこと、あるいは通信速度を一定以上に保つことのうち、少なくとも１つを含むこと
を特徴とする無線通信システム。
【請求項４】
請求項１に記載の無線通信システムであって、
前記優先順位は、少なくとも優先される順位と優先されない順位とに分類されており、
前記スケジューリング部は、送信電力に余力がないと判定した前記第２の通信装置を、前記優先される順位に分類すること
を特徴とする無線通信システム。
【請求項５】
請求項４に記載の無線通信システムであって、
送信電力に余力があると判定された前記第２の通信装置は、送信電力を上げることで、受信品質を保つこと
を特徴とする無線通信システム。
【請求項６】
請求項１に記載の無線通信システムであって、
前記優先順位は、少なくとも優先される順位と優先されない順位とに分類されており、
前記スケジューリング部は、伝搬特性の変動が所定の閾値より小さい前記第２の通信装置を、前記優先される順位に分類すること
を特徴とする無線通信システム。
【請求項７】
請求項１に記載の無線通信システムであって、
前記優先順位は、少なくとも優先される順位と優先されない順位とに分類されており、
前記スケジューリング部は、伝搬特性が所定の閾値より小さい前記第２の通信装置を、前記優先される順位に分類すること
を特徴とする無線通信システム。
【請求項８】
請求項７に記載の無線通信システムであって
前記伝搬特性は、前記第１の通信装置における受信信号対干渉雑音電力比の前記伝送可能な帯域における平均値であること
を特徴とする無線通信システム。
【請求項９】
送信信号を時間周波数変換により周波数信号に変換し、前記周波数信号を予め決められた数毎にクラスタに分割し、伝送可能な帯域の一部に前記クラスタを配置して送信する複数の他の通信装置からの信号を受信する通信装置において、
複数の前記他の通信装置について前記クラスタを配置する周波数を決定する際に、周波数を決定する対象の前記複数の他の通信装置を複数の優先順位に分類し、該優先順位に従い前記他の通信装置各々について前記周波数の決定を行うスケジューリング部
を具備することを特徴とする通信装置。
【請求項１０】
送信信号を時間周波数変換により周波数信号に変換し、前記周波数信号を予め決められた数毎にクラスタに分割し、伝送可能な帯域の一部に前記クラスタを配置して送信する複数の他の通信装置からの信号を受信する通信装置におけるスケジューリング方法において、
前記通信装置が、複数の前記他の通信装置について前記クラスタを配置する周波数を決定する際に、周波数を決定する対象の前記複数の第２の通信装置を複数の優先順位に分類し、該優先順位に従い前記第２の通信装置各々について前記周波数の決定を行う過程
を備えることを特徴とするスケジューリング方法。
【請求項１１】
送信信号を時間周波数変換により周波数信号に変換し、前記周波数信号を予め決められた数毎にクラスタに分割し、伝送可能な帯域の一部に前記クラスタを配置して送信する複数の他の通信装置からの信号を受信する通信装置のコンピュータを、
複数の前記他の通信装置について前記クラスタを配置する周波数を決定する際に、周波数を決定する対象の前記複数の他の通信装置を複数の優先順位に分類し、該優先順位に従い前記他の通信装置各々について前記周波数の決定を行うスケジューリング部
として機能させるためのプログラム。
【発明の詳細な説明】
【技術分野】
【０００１】
本発明は、無線通信システム、通信装置、スケジューリング方法およびプログラムに関する。
【背景技術】
【０００２】
第３．９世代の携帯電話の無線通信システムであるＬＴＥ（Ｌｏｎｇ  Ｔｅｒｍ  Ｅｖｏｌｕｔｉｏｎ；第３世代の長期進化）システムの標準化が収束し始め、最近ではＬＴＥシステムをより発展させた第４世代の無線通信システムであるＬＴＥ−Ａ（ＬＴＥ−Ａｄｖａｎｃｅｄ、ＩＭＴ−Ａとも称する）の標準化が開始された。
【０００３】
ＬＴＥシステムの移動局装置から基地局装置への通信である上り回線（アップリンク）は、移動局装置の送信電力の負担を重視し、ＰＡＰＲ（Ｐｅａｋ ｔｏ Ａｖｅｒａｇｅ Ｐｏｗｅｒ Ｒａｔｉｏ；ピーク対平均電力比）特性のよいＤＦＴ−Ｓ−ＯＦＤＭ（Ｄｉｓｃｒｅｔｅ  Ｆｏｕｒｉｅｒ  Ｔｒａｎｓｆｏｒｍ  Ｓｐｒｅａｄ  Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ；離散フーリエ変換拡散直交周波数分割多重、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ；シングルキャリア周波数分割多元接続）とも称される）が既に採用されることが決定している。それに対し、ＬＴＥ−Ａシステムでは、ＤＦＴ−Ｓ−ＯＦＤＭよりセルスループットの改善が期待できるクラスタ化ＤＦＴ−Ｓ−ＯＦＤＭ（Ｃｌｕｓｔｅｒｅｄ  ＤＦＴ−Ｓ−ＯＦＤＭ、ダイナミックスペクトル制御（ＤＳＣ：Ｄｙｎａｍｉｃ  Ｓｐｅｃｔｒｕｍ  Ｃｏｎｔｒｏｌ）とも呼称される）と呼ばれる技術が提案されている。（例えば、非特許文献１、非特許文献２参照）。
【０００４】
クラスタ化ＤＦＴ−Ｓ−ＯＦＤＭは、元の信号のスペクトルをクラスタと呼ばれる割当単位に分割し、各クラスタを、ＬＴＥシステムにおける１２の連続するサブキャリアから構成される無線リソースの最小単位であるリソースブロック（ＲＢ：Ｒｅｓｏｕｒｃｅ  Ｂｌｏｃｋ）に配置する手法である。このとき、各クラスタはリソースブロックサイズ（リソースブロックに含まれるサブキャリア数）の自然数倍で定義される。この手法は、元の信号のスペクトルを連続配置するＤＦＴ−Ｓ−ＯＦＤＭより細かい周波数制御が可能となり、その結果、周波数選択ダイバーシチの効果が得られるため、セルスループットを向上させることができる。
【非特許文献１】３ＧＰＰ寄書、NEC, REV-080022, “NEC’s proposals for LTE Advanced”、２００８年４月７日
【非特許文献２】３ＧＰＰ寄書、Nokia Siemens Networks, Nokia, R1-081842, “LTE-A Proposals for evolution”、２００８年５月５日
【発明の開示】
【発明が解決しようとする課題】
【０００５】
しかしながら、上述の手法はＤＦＴ−Ｓ−ＯＦＤＭの移動局装置や他の移動局装置が同時に送信を行う場合に、割当可能な空き帯域が周波数方向に飛び飛びに存在していても、これらの空き帯域を埋めることができるという利用法である。その為、伝送帯域に他の割り当て可能な空き帯域がない場合には、受信状況が劣悪であってもその帯域に割り当てなければならず、必要な伝搬特性が得られない移動局装置が発生するという問題があった。
【０００６】
本発明は、このような事情を鑑みてなされたもので、その目的は、必要な伝搬特性が得られない移動局装置の発生を抑制することができる無線通信システム、通信装置、スケジューリング方法およびプログラムを提供する。
【課題を解決するための手段】
【０００７】
（１）本発明の無線通信システムは、送信信号を時間周波数変換により周波数信号に変換し、前記周波数信号を予め決められた数毎にクラスタに分割し、伝送可能な帯域の一部に前記クラスタを配置して単一の第１の通信装置に送信する複数の第２の通信装置と、前記第１の通信装置とを具備する無線通信システムにおいて、前記第１の通信装置は、複数の前記第２の通信装置について前記クラスタを配置する帯域を決定する際に、帯域を決定する対象の前記複数の第２の通信装置を複数の優先順位に分類し、該優先順位に従い前記第２の通信装置各々について前記帯域の決定を行うスケジューリング部を具備することを特徴とする。
【０００８】
（２）また、本発明の無線通信システムは、上述の無線通信システムであって、前記優先順位は、少なくとも優先される順位と優先されない順位とに分類されており、  前記スケジューリング部は、前記優先される順位の前記第２の通信装置については、伝搬特性の良い帯域から順に選択し、前記優先されない順位の前記第２の通信装置については一定の規則により帯域を選択することを特徴とする。
【０００９】
（３）また、本発明の無線通信システムは、上述の無線通信システムであって、前記優先順位は、少なくとも優先される順位と優先されない順位とに分類されており、前記スケジューリング部が前記第２の通信装置を前記優先される順位に分類する条件は、遅延時間を一定以内に保つこと、伝送品質を一定以上に保つこと、あるいは通信速度を一定以上に保つことのうち、少なくとも１つを含むことを特徴とする。
【００１０】
（４）また、本発明の無線通信システムは、上述の無線通信システムであって、前記優先順位は、少なくとも優先される順位と優先されない順位とに分類されており、前記スケジューリング部は、送信電力に余力がないと判定した前記第２の通信装置を、前記優先される順位に分類することを特徴とする。
【００１１】
（５）また、本発明の無線通信システムは、上述の無線通信システムであって、送信電力に余力があると判定された前記第２の通信装置は、送信電力を上げることで、受信品質を保つことを特徴とする。
【００１２】
（６）また、本発明の無線通信システムは、上述の無線通信システムであって、前記優先順位は、少なくとも優先される順位と優先されない順位とに分類されており、前記スケジューリング部は、伝搬特性の変動が所定の閾値より小さい前記第２の通信装置を、前記優先される順位に分類することを特徴とする。
【００１３】
（７）また、本発明の無線通信システムは、上述の無線通信システムであって、前記優先順位は、少なくとも優先される順位と優先されない順位とに分類されており、前記スケジューリング部は、伝搬特性が所定の閾値より小さい前記第２の通信装置を、前記優先される順位に分類することを特徴とする。
【００１４】
（８）また、本発明の無線通信システムは、上述の無線通信システムであって、前記伝搬特性は、前記第１の通信装置における受信信号対干渉雑音電力比の前記伝送可能な帯域における平均値であることを特徴とする。
【００１５】
（９）また、本発明の通信装置は、送信信号を時間周波数変換により周波数信号に変換し、前記周波数信号を予め決められた数毎にクラスタに分割し、伝送可能な帯域の一部に前記クラスタを配置して送信する複数の他の通信装置からの信号を受信する通信装置において、複数の前記他の通信装置について前記クラスタを配置する周波数を決定する際に、周波数を決定する対象の前記複数の他の通信装置を複数の優先順位に分類し、該優先順位に従い前記他の通信装置各々について前記周波数の決定を行うスケジューリング部を具備することを特徴とする。
【００１６】
（１０）また、本発明のスケジューリング方法は、送信信号を時間周波数変換により周波数信号に変換し、前記周波数信号を予め決められた数毎にクラスタに分割し、伝送可能な帯域の一部に前記クラスタを配置して送信する複数の他の通信装置からの信号を受信する通信装置におけるスケジューリング方法において、前記通信装置が、複数の前記他の通信装置について前記クラスタを配置する周波数を決定する際に、周波数を決定する対象の前記複数の第２の通信装置を複数の優先順位に分類し、該優先順位に従い前記第２の通信装置各々について前記周波数の決定を行う過程を備えることを特徴とする。
【００１７】
（１１）また、本発明のプログラムは、送信信号を時間周波数変換により周波数信号に変換し、前記周波数信号を予め決められた数毎にクラスタに分割し、伝送可能な帯域の一部に前記クラスタを配置して送信する複数の他の通信装置からの信号を受信する通信装置のコンピュータを、複数の前記他の通信装置について前記クラスタを配置する周波数を決定する際に、周波数を決定する対象の前記複数の他の通信装置を複数の優先順位に分類し、該優先順位に従い前記他の通信装置各々について前記周波数の決定を行うスケジューリング部として機能させる。
【発明の効果】
【００１８】
この発明は、信号のスペクトルを割当てる単位であり、複数のサブキャリアから構成されるクラスタを配置する帯域を決定する対象の複数の通信装置を複数の優先順位に分類し、その優先順位に従い通信装置各々について帯域の決定を行うので、必要な伝搬特性が得られない通信装置の発生を抑制することができる。
【発明を実施するための最良の形態】
【００１９】
［第１の実施形態］
以下、図面を参照して、この発明の第１の実施形態について説明する。本実施形態の無線通信システムは、移動局装置２００と基地局装置１００とを備え、移動局装置２００は、クラスタ化ＤＦＴ−Ｓ−ＯＦＤＭ方式を用いて基地局装置１００への無線送信を行なう。なお、本実施形態では、クラスタサイズはリソースブロックサイズと一致し、システム帯域のリソースブロック数が１２であるものとして説明を行うが、クラスタサイズがリソースブロックサイズと異なっていても良い。なお、ここでは特にシステム帯域とは、基地局装置の受信可能帯域のことであり、リソースブロック（帯域）とは、周波数方向および時間方向に予め決められた幅で区切られた領域であって、無線リソースの移動局装置への割当ての最小単位となる領域である。
【００２０】
図１は、本実施形態における移動局装置１００（通信装置ともいう）の構成を示す概略ブロック図である。まず、図１に示すように、移動局装置１００は、レート検出部１０１、クラスタ割当検出部１０２、符号部１０３、変調部１０４、ＤＦＴ部１０５、クラスタ分割部１０６、クラスタ配置部１０７、ＩＤＦＴ部１０８、参照信号生成部１０９、参照信号多重部１１０、ＣＰ挿入部１１１、無線部１１２、送受信アンテナ１１３、制御情報多重部１１４、制御情報生成部１１５、受信部１１６を具備する。
【００２１】
移動局装置１００では、無線部１１２が、送受信アンテナ１１３を介して、基地局装置２００からＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ；直交周波数分割多元接続）方式で送信された信号を受信し、受信した信号を無線周波数からベースバンド周波数にダウンコンバートし、ベースバンド信号を生成する。受信部１１６は、ベースバンド信号を離散フーリエ変換して得た各サブキャリアの信号を復調および復号して、当該移動局装置１００を識別する情報が含まれた当該移動局装置１００宛ての制御情報と、この制御情報により指定されたサブキャリアに配置された当該移動局装置１００宛ての伝送データの情報ビット列とを検出する。受信部１１６は、伝送データの情報ビット列を外部に出力し、制御情報をレート検出部１０１とクラスタ割当検出部１０２に出力する。レート検出部１０１は、受信部１１６から受けた制御情報から、伝送可能なビット数であるレート情報を検出する。クラスタ割当検出部１０２は、受信部１１６から受けた制御情報から、配置するクラスタの周波数位置に関する情報であるクラスタ割当情報を検出する。なお、このレート情報とクラスタ割当情報は送信可能なビット数と全クラスタの合計帯域幅（伝送帯域幅）と変調方式が決まれば一対一で関連付けられる。また、本実施形態では、クラスタ割当情報は、クラスタを割当てるリソースブロックを指定する情報である。
【００２２】
移動局装置１００から基地局装置２００への情報ビット列は、外部から符号部１０３に入力される。符号部１０３は、入力された情報ビット列に対して、レート検出部１０１が検出したレート情報に応じた符号化率の誤り訂正符号化を施し、符号ビットを生成する。生成された符号ビットを、変調部１０４は、ＱＰＳＫ（Ｑｕａｄｒａｔｕｒｅ  Ｐｈａｓｅ  Ｓｈｉｆｔ  Ｋｅｙｉｎｇ；四相位相変調）、１６ＱＡＭ（１６−ａｒｙ  Ｑｕａｄｒａｔｕｒｅ  Ａｍｐｌｉｔｕｄｅ  Ｍｏｄｕｌａｔｉｏｎ：１６値直交振幅変調）などの変調方式で変調して、変調シンボルを生成する。ＤＦＴ部１０５は、生成された変調シンボルの系列を離散フーリエ変換して、周波数信号を生成する。制御情報多重部１１４は、生成された周波数信号と、制御情報生成部１１５が生成した制御情報の信号とを多重する。
【００２３】
クラスタ分割部１０６は、多重された信号を、予め決められたクラスタサイズ毎の信号に分割して、クラスタ化する。なお、本実施形態では、クラスタ分割部１０６は、多重された信号のうち、ＤＦＴ部１０５により生成された周波数信号と制御情報の信号とが１つのクラスタ内に混在しないようにクラスタ化する。クラスタ配置部１０７は、クラスタ割当検出部１０２が検出したクラスタ割当情報により指定されたリソースブロック（伝送可能な帯域の一部）に、各クラスタの信号を配置する。なお、クラスタ配置分１０７は、制御情報の信号からなるクラスタについては、クラスタ割当情報により指定されたリソースブロックのうち、システム帯域の両端のいずれかのリソースブロックに配置する。ＩＤＦＴ（Ｉｎｖｅｒｓｅ  ＤＦＴ；逆離散フーリエ変換）部１０８は、クラスタ配置部１０７によりリソースブロックに配置された信号を、システム帯域に渡って逆離散フーリエ変換して、時間信号に変換する。参照信号生成部１０９は、伝搬路の周波数応答を基地局装置２００において推定するための参照信号を生成する。参照信号多重部１１０は、時間信号と参照信号とを時間多重する。ここでは、参照信号は、参照信号生成部１０９で別途生成され時間領域で多重されているが、周波数軸で多重する場合はＩＤＦＴ部１０８の前段に参照信号多重部を設けて、該参照信号多重部が周波数多重する。
【００２４】
ＣＰ（Ｃｙｃｌｉｃ  Ｐｒｅｆｉｘ；サイクリックプレフィックス）挿入部１１１は、時間信号と参照信号とが多重された信号に、サイクリックプレフィックスを付加する。このサイクリックプレフィックスの付加は、周知のように、対象の信号の末尾あるいは先頭を複製した信号を、先頭に付加することで行う。無線部１１２は、サイクリックプレフィックスが付加された信号を、無線周波数にアップコンバートし、送受信アンテナ１１３を介して、基地局装置２００に送信する。
【００２５】
図２は、本実施形態における基地局装置２００（通信装置）の構成を示す概略ブロック図である。基地局装置２００は、送受信アンテナ２０１、無線部２０２、ＣＰ除去部２０３、参照信号分離部２０４、伝搬路推定部２０５、スケジューリング部２０６、バッファ２０７、制御情報信号生成部２０８、ＤＦＴ部２０９、クラスタ抽出部２１０、等化部２１１、クラスタ結合部２１２、ＩＤＦＴ部２１３、復調部２１４、復号部２１５、制御情報取得部２１６、制御情報分離部２１７、送信部２１８を具備する。
【００２６】
基地局装置２００では、無線部２０２が、送受信アンテナ２０１を介して、複数の移動局装置１００からの信号を受信し、受信した信号を無線周波数からベースバンド周波数にダウンコンバートし、ベースバンド信号を生成する。次に、ＣＰ除去部２０３は、ベースバンド信号からサイクリックプレフィックスを除去する。参照信号分離部２０４は、サイクリックプレフィックスが除去された信号から、参照信号を分離する。分離された参照信号を用いて、伝搬路推定部２０５は、リソースブロック各々について、伝搬路の周波数応答（伝搬特性）を推定し、スケジューリング部２０６および等化部２１１に出力する。参照信号分離部２０４により参照信号が分離された信号を、ＤＦＴ部２０９は、離散フーリエ変換して、周波数信号を生成する。制御情報分離部２１７は、この周波数信号から制御情報の信号を分離し、制御情報取得部２１６に出力する。
【００２７】
制御情報取得部２１６は、制御情報分離部２１７が分離した制御情報の信号を取得し、スケジューリング部２０６に入力する。スケジューリング部２０６は、伝搬路推定部２０５により推定された伝搬路の周波数応答と制御情報取得部２１６より入力された制御情報とから、各移動局装置１００についてクラスタ割当を決定し、決定したクラスタ割当を示すクラスタ割当情報をバッファ２０７に入力する。ここで、スケジューリング部２０６は、複数の移動局装置１００についてクラスタを配置するリソースブロック（帯域）を決定する際に、リソースブロックを決定する対象の複数の移動局装置１００を複数の優先順位に分類し、該優先順位に従い移動局装置１００の各々についてリソースブロックの決定を行う。このスケジューリング部２０６によるスケジューリングについては後述する。
【００２８】
バッファ２０７は、決定されたクラスタ割当に従い移動局装置１００によりデータが送信されたときに、クラスタ抽出部２１０に入力するためにクラスタ割当情報を保存する。また、スケジューリング部２０６は、同時に移動局装置１００の各々についてクラスタ割当情報から、伝送可能なビット数を計算し、計算したビット数を示すレート情報を制御情報として制御情報信号生成部２０８に出力する。制御情報信号生成部２０８は、クラスタ割当情報とレート情報とを宛先の移動局装置１００を識別する情報とともに移動局装置１００へ通知する制御情報の信号を生成し、送信部２１８に出力する。送信部２１８は、外部から入力された各移動局装置１００への情報ビット列と、制御情報信号生成部２０８が生成した制御情報の信号とをＯＦＤＭＡ方式で送信する送信信号を生成し、無線部２０２に出力する。無線部２０２は、受けた信号を無線周波数にアップコンバートし、送受信アンテナ２０１を介して、各移動局装置１００に送信する。
【００２９】
一方、制御情報分離部２１７により制御情報の信号が分離された周波数信号から、クラスタ抽出部２１０は、バッファ２０７に保存されているクラスタ割当情報に従い、クラスタが配置されているリソースブロックの信号を抽出し、クラスタが配置されていないリソースブロックに対しては０を挿入する。次に、等化部２１１は、各クラスタの信号に対して、伝搬路推定部２０５により推定された伝搬路の周波数応答を用いて無線伝搬路の歪みを補償する等化処理を施す。クラスタ結合部２１２は、等化処理された各クラスタの信号を、送信元の移動局装置１００毎に纏める、つまり、クラスタ分割の逆操作であるクラスタ結合を行う。その後、送信元の移動局装置１００毎にクラスタ結合された信号を、ＩＤＦＴ部２１３は、逆離散フーリエ変換して時間信号に変換する。復調部２１４は、時間信号を復調して、時間信号が表す変調シンボルを受信符号ビットに分解する。復号部２１５は、受信符号ビットに誤り訂正復号を施して、復号データの情報ビット列を生成し、外部に出力する。
【００３０】
以下、本実施形態におけるスケジューリング部２０６による各クラスタのリソースブロックへの割当方法を説明する。スケジューリング部２０６によるスケジューリングでは、優先順位は、少なくとも優先される順位と優先されない順位とに分類されており、高いＱｏＳ（Ｑｕａｌｉｔｙ  ｏｆ  Ｓｅｒｖｉｃｅ：サービス品質）が要求されていることが、その移動局装置１００が優先される順位に分類される条件である。
【００３１】
本実施形態のスケジューリング部２０６によるスケジューリングは、制御情報取得部２１６が取得し、スケジューリング部２０６に出力した制御情報が示すＱｏＳの情報を基に行う。移動局装置１００の制御情報生成部１１５は、自装置の行なっている通信がどのサービスの通信であるかに基づき、要求されるＱｏＳを判定し、判定したＱｏＳを示す情報を含む制御情報の信号を生成する。なお、本実施形態では、高いＱｏＳが要求される移動局装置１００とは、音声通話、テレビ電話など、通信速度を一定以上に保つことを保障する必要のあるサービスの通信を行なっている移動局装置１００を指すが、遅延時間を一定以内に保つこと、伝送品質（例えば、ビットエラーレート）を一定以上に保つこと、あるいは通信速度を一定以上に保つことのいずれか１つを保障する必要のあるサービスの通信を行っていることを条件としてもよいし、これらのうち２つ以上を組み合わせたものを保障する必要のあるサービスの通信を行っていることを条件としてもよい。
【００３２】
図３は、本実施形態におけるスケジューリング部２０６によるスケジューリングの例を示す図である。図３において、横軸は周波数軸であり、縦軸は伝搬特性（受信ＳＩＮＲ；受信信号対干渉雑音電力比）である。符号ＲＢ１〜１２を付した領域はシステム帯域（割当可能な帯域）内の各リソースブロックを示している。移動局装置Ａは、高いＱｏＳを要求されている、すなわちスケジューリング部２０６により優先される順位に分類される移動局装置１００である。また、移動局装置Ｂは、高いＱｏＳを要求されていない、すなわちスケジューリング部２０６により優先されない順位に分類される移動局装置１００である。また、図３において、符号Ｃ１〜Ｃ４を付した矩形は、移動局装置Ａが送信するクラスタ化された周波数信号、符号Ｃ５〜Ｃ８を付した矩形は、移動局装置Ｂが送信するクラスタ化された周波数信号である。また、符号Ｌ４１を付したグラフは、移動局装置Ａから基地局装置２００への伝搬特性である。
【００３３】
本実施形態におけるスケジューリング部２０６は、各移動局装置１００について要求されているＱｏＳを制御情報から取得し、高いＱｏＳを要求される移動局装置１００（図３では移動局装置Ａ）に、優先して伝搬特性の良いリソースブロックを割当てるスケジューリングを行なう。図３に示す例では、まず、スケジューリング部２０６は、各移動局装置１００のＱｏＳを取得し、高いＱｏＳ（ここでは、一定以上の通信速度を保つこと）を要求されている全ての移動局装置１００を抽出し、抽出した移動局装置１００（図３では、移動局装置Ａ）を優先される順位に分類し、残り（図３では、移動局装置Ｂ）を優先されない順位に分類する。
【００３４】
次に、スケジューリング部２０６は、伝搬路推定部２０５から受けた各移動局装置１００の伝搬特性（受信ＳＩＮＲ）のうち、優先される順位の移動局装置１００である移動局装置Ａの伝搬特性Ｌ４１を参照し、移動局装置Ａのクラスタ化された周波数信号Ｃ１〜Ｃ４を配置するリソースブロックとして、システム帯域内の割当可能なリソースブロックＲＢ１〜ＲＢ１２のうち、伝搬特性が良い方からリソースブロックを４つ（ＲＢ３、ＲＢ４、ＲＢ６、ＲＢ８）を選択して割り当てる。高いＱｏＳが要求されていない、すなわち優先されない順位に分類された移動局装置Ｂについては、クラスタ化された周波数信号Ｃ５〜Ｃ８を配置するリソースブロックとして、移動局装置Ａへ優先的に割り当てたリソースブロックＲＢ３、ＲＢ４、ＲＢ６、ＲＢ８を除き、移動局装置Ｂの伝搬特性の良いリソースブロックを４つ（ＲＢ５、ＲＢ７、ＲＢ９、ＲＢ１２）選択して割り当てる。
【００３５】
なお、本実施形態では高いＱｏＳが要求されていない、すなわち優先されない順位に分類される移動局装置１００（図３では移動局装置Ｂ）に未使用のリソースブロックのうち、伝搬特性の良いものから割り当てたが、周波数方向に連続している数が多いリソースブロックから割当てる等、伝搬特性やＱｏＳ等の制御情報と関係ない一定の規則で選択したリソースブロックを割り当てても良い。
また、本実施形態では、伝搬特性は各リソースブロックの受信ＳＩＮＲ（信号対干渉雑音電力比）を基準としているが、受信ＳＮＲ（Ｓｉｇｎａｌ  Ｎｏｉｓｅ  Ｒａｔｉｏ；信号雑音比）など、受信ＳＩＮＲと同等な指標であればよく、受信ＳＩＮＲに限定されない。
【００３６】
図４は、本実施形態におけるスケジューリング部２０６によるスケジューリング処理を説明するフローチャートである。スケジューリング部２０６は、各移動局装置１００が送信した制御情報を制御情報取得部２１６から取得し、各々の制御情報から送信元の移動局装置１００が要求されているＱｏＳを取得する（Ｓａ１）。次に、スケジューリング部２０６は、スケジューリングの対象となっている移動局装置１００の中から後述する分類が未済みの移動局装置１００を１つ選択する（Ｓａ２）。この選択は、移動局装置１００を識別する情報の小さいものからなど、どのような基準でもよい。次に、スケジューリング部２０６は、ステップＳａ２にて選択した移動局装置１００のＱｏＳが、高いＱｏＳであるか否かを判定する（Ｓａ３）。ここで、高いＱｏＳであるか否かは、例えば、一定以上の通信速度を保つことを要求されるＱｏＳなど、予め決められた種類のＱｏＳであるか否かに基づき判定する。
【００３７】
ステップＳａ３にて高いＱｏＳであると判定したときは、ステップＳａ４に遷移して、スケジューリング部２０６は、ステップＳａ２にて選択した移動局装置１００を優先される順位に分類し、その移動局装置１００を識別する情報を、優先される順位に分類された移動局装置１００を記憶する領域に格納する（Ｓａ４）。その後、ステップＳａ６に遷移する。
【００３８】
一方、ステップＳａ３にて高いＱｏＳでないと判定したときは、ステップＳａ５に遷移して、スケジューリング部２０６は、ステップＳａ２にて選択した移動局装置１００を優先されない順位に分類し、その移動局装置１００を識別する情報を、優先されない順位に分類された移動局装置１００を記憶する領域に格納する（Ｓａ５）。次に、スケジューリング部２０６は、スケジューリングの対象となっている全ての移動局装置１００について、分類をしたか否かを判定する（Ｓａ６）。全ては分類していないと判定したときは、ステップＳａ２に戻って、以降のステップを繰り返す。
【００３９】
ステップＳａ６にて全て分類したと判定したときは、ステップＳａ７に遷移して、スケジューリング部２０６は、優先される順位に分類された移動局装置１００を記憶する領域にステップＳａ４にて格納した移動局装置１００を識別する情報を読み出し、読み出した情報が識別する移動局装置１００、すなわち優先される順位に分類した移動局装置１００にリソースブロックを割当てる。このとき、この割当を行う移動局装置１００の順番は、例えば、通信するデータ量が多い順、伝搬特性の悪い順など、予め決められた規則による順番であってもよいし、記憶する領域から読み出した順などであってもよい。
【００４０】
次に、スケジューリング部２０６は、優先されない順位に分類された移動局装置１００を記憶する領域にステップＳａ４にて格納した移動局装置１００を識別する情報を読み出し、読み出した情報が識別する移動局装置１００、すなわち優先されない順位に分類した移動局装置１００にリソースブロックを割当てる（Ｓａ８）。このとき、この割当を行う移動局装置１００の順番は、例えば、通信するデータ量が多い順、伝搬特性の悪い順など、予め決められた規則による順番であってもよいし、記憶する領域から読み出した順などであってもよい。
【００４１】
このように、本実施形態では、スケジューリング部２０６は、クラスタを配置するリソースブロックを決定する際に、移動局装置１００を複数の優先順位に分類し、優先順位に従い移動局装置１００各々について、配置するリソースブロックの決定を行うので、優先順位の高いものに伝搬特性の良いリソースブロックが割当てられ、必要な伝搬特性が得られない移動局装置の発生を抑制することができる。
また、本実施形態では、図３の移動局装置Ａのように高いＱｏＳが要求されている移動局装置１００を優先的される順位に分類し、優先してスケジューリングすることにより、伝搬特性の良いリソースブロックを割り当てることができる為、高い周波数選択ダイバーシチ効果が得られるので、高いＱｏＳを実現するために必要な伝搬特性が得られない移動局装置の発生を抑制することができる。
【００４２】
［第２の実施形態］
以下、図面を参照しながら、この発明の第２の実施形態について説明する。本実施形態における無線通信システムは、移動局装置１００ａと基地局装置２００ａとを備え、送信電力の余力が少ない移動局装置１００ａが優先されるように優先順位を決定する。図５は、本実施形態における移動局装置１００ａの構成を示す概略ブロック図である。同図において図１の各部に対応する部分には同一の符号（１０１〜１１４、１１６）を付け、その説明を省略する。また、図５に示すように、移動局装置１００ａは、図１に示す移動局装置１００とは、制御情報生成部１１５に替えて制御情報生成部１１５ａを備える点のみが異なる。制御情報生成部１１５ａは、自装置のパワーヘッドルームと呼ばれる送信電力の余力を表す値を、自装置の許容される最大送信電力から現在の送信電力を減算して算出し、算出した該値を表す情報を含む制御情報の信号を生成する。
【００４３】
図６は、本実施形態における基地局装置２００ａの構成を示す概略ブロック図である。同図において図２の各部に対応する部分には同一の符号（２０１〜２０５、２０７〜２１８）を付け、その説明を省略する。また、図６に示すように、基地局装置２００ａは、図２に示す基地局装置２００とは、スケジューリング部２０６に替えてスケジューリング部２０６ａを備える点のみが異なる。スケジューリング部２０６ａによるスケジューリングでは、優先順位は、少なくとも優先される順位と優先されない順位とに分類されており、送信電力に余力がないと判定した移動局装置１００ａを、優先される順位に分類し、それ以外の移動局装置１００ａを、優先されない順位に分類し、スケジューリングを行う。
【００４４】
図７は、本実施形態におけるスケジューリング部２０６ａによるスケジューリング結果の例を示す図である。図７において、横軸は周波数軸であり、縦軸は伝搬特性（受信ＳＩＮＲ；受信信号対干渉雑音電力比）である。符号ＲＢ１〜１２を付した領域はシステム帯域（割当可能な帯域）内の各リソースブロックを示している。移動局装置Ｃは、送信電力の余力が小さい、すなわちスケジューリング部２０６ａにより優先される順位に分類される移動局装置１００ａである。また、移動局装置Ｄは、送信電力の余力が大きい、すなわちスケジューリング部２０６ａにより優先されない順位に分類される移動局装置１００ａである。また、図７において、符号Ｃ１〜Ｃ４を付した矩形は、移動局装置Ｃが送信するクラスタ化された周波数信号、符号Ｃ５〜Ｃ８を付した矩形は、移動局装置Ｄが送信するクラスタ化された周波数信号である。また、符号Ｌ５１を付したグラフは、移動局装置Ｃから基地局装置２００ａへの伝搬特性であり、符号Ｌ５２を付したグラフは、移動局装置Ｄから基地局装置２００ａへの伝搬特性である。
【００４５】
本実施形態におけるスケジューリング部２０６ａは、各移動局装置１００ａについて送信電力の余力を示す値であるパワーヘッドルームを、各移動局装置１００ａからの制御情報から取得し、取得したパワーヘッドルームが予め決められた閾値αより小さい移動局装置１００ａを送信電力の余力が小さい移動局装置１００ａと判定し、送信電力の余力が小さいと判定した移動局装置１００ａ（図７では移動局装置Ｃ）に、伝搬路推定部２０５から受けた伝搬特性に基づき、優先して伝搬特性の良いリソースブロックを割当てるスケジューリングを行なう。
【００４６】
図７に示す例では、まず、スケジューリング部２０６ａは、各移動局装置１００ａのパワーヘッドルームを取得し、パワーヘッドルームが閾値αより小さい全ての移動局装置１００ａを抽出し、抽出した移動局装置１００ａ（図７では、移動局装置Ｃ）を優先される順位に分類し、残り（図７では、移動局装置Ｄ）を優先されない順位に分類する。
【００４７】
次に、スケジューリング部２０６ａは、伝搬路推定部２０５から受けた各移動局装置１００ａの伝搬特性のうち、優先される順位の移動局装置１００ａである移動局装置Ｃの伝搬特性Ｌ５１を参照し、移動局装置Ｃのクラスタ化された周波数信号Ｃ１〜Ｃ４を配置するリソースブロックとして、システム帯域内の割当可能なリソースブロックＲＢ１〜ＲＢ１２のうち、伝搬特性が良い方からリソースブロックを４つ（ＲＢ４、ＲＢ５、ＲＢ６、ＲＢ９）を選択して割り当てる。パワーヘッドルームが閾値αより大きい、すなわち優先されない順位に分類された移動局装置Ｄについては、移動局装置Ｃへ優先的に割り当てたリソースブロックＲＢ４、ＲＢ５、ＲＢ６、ＲＢ９を除き、移動局装置Ｄの伝搬特性の良いリソースブロック（図７では、ＲＢ８、ＲＢ１０、ＲＢ１１、ＲＢ１２）を割り当てる。
【００４８】
なお、本実施形態ではパワーヘッドルームが閾値αより大きい、すなわち優先されない順位に分類される移動局装置１００ａ（図７では移動局装置Ｄ）に未使用のリソースブロックのうち、伝搬特性の良いものから割り当てたが、連続したリソースブロックを選択する等、伝搬特性やＱｏＳ等の制御情報と関係ない方法で選択したリソースブロックを割り当てても良い。
【００４９】
送信電力の余力のある移動局装置Ｄは、既に使用されているリソースブロックを除いてリソースブロックを割り当てられる為、伝搬特性の悪いリソースブロックとなる可能性がある。なお、伝搬特性の悪いリソースブロックを割り当てられた場合は、送信電力を上げることで、基地局装置２００ａにおける受信品質を向上させても良い。
【００５０】
図８は、本実施形態におけるスケジューリング部２０６ａによるスケジューリング処理を説明するフローチャートである。同図において、図４に対応する部分には同一の符号（Ｓａ２、Ｓａ４〜Ｓａ８）を付して説明を省略する。図８のスケジューリング部２０６ａによるスケジューリング処理のフローチャートは、図４のスケジューリング部２０６のフローチャートと、ステップＳａ１、Ｓａ３それぞれに替えて、ステップＳｂ１、Ｓｂ３を備える点のみが異なる。
【００５１】
ステップＳｂ１では、スケジューリング部２０６ａは、各移動局装置１００ａが送信した制御情報を制御情報取得部２１６から取得し、各々の制御情報から送信元の移動局装置１００ａのパワーヘッドルームを取得する。ステップＳｂ３では、スケジューリング部２０６ａは、ステップＳａ２にて選択した移動局装置１００ａのパワーヘッドルームが、予め決められた閾値αより小さいか否かを判定する。
【００５２】
このように、本実施形態は、送信電力の余力のある移動局装置１００ａより送信電力の余力がない移動局装置１００ａを優先的にスケジューリングすることにより、送信電力の余力がない移動局装置１００ａに伝搬特性の良好なリソースブロックが割当てられて周波数選択ダイバーシチ効果が得られるため、必要な伝搬特性が得られることが多くなる。すなわち、これらの移動局装置１００ａにおいて、必要な伝搬路特性が得られないことが発生するのを抑制できる。
また、送信電力の余力がある移動局装置１００ａは伝搬特性が悪いリソースブロックが割当てられた場合でも送信電力を上げることにより、基地局装置２００ａにおける受信信号において、一定の品質を保つことができ、周波数利用効率が上がる。
【００５３】
[第３の実施形態]
以下、図面を参照しながら、この発明の第３の実施形態について説明する。本実施形態における無線通信システムは、移動局装置１００ｂと基地局装置２００ｂとを備え、高速移動していない移動局装置１００ｂが優先されるように優先順位を決定する。図９は、本実施形態における移動局装置１００ｂの構成を示す概略ブロック図である。同図において図１の各部に対応する部分には同一の符号（１０１〜１１４、１１６）を付け、その説明を省略する。また、図９に示すように、移動局装置１００ｂは、図１に示す移動局装置１００とは、制御情報生成部１１５に替えて制御情報生成部１１５ｂを備える点のみが異なる。
【００５４】
制御情報生成部１１５ｂは、基地局装置２００ｂからの信号に基づき受信部１１６が伝搬路推定を行った結果の伝搬路推定値を受け、この伝搬路推定値の時間変動の多さが予め決められた閾値βより大きいか否かを判定する。制御情報生成部１１５ｂは、この判定により閾値βより大きいと判定したときは高速移動していることを表す情報を含む制御情報の信号を生成し、閾値βより小さいと判定したときは高速移動していないことを表す情報を含む制御情報の信号を生成する。なお、時間変動の多さとしては、例えば、一定の時間内において平均値との差分の絶対値を積分して得た値などを用いる。
【００５５】
図１０は、本実施形態における基地局装置２００ｂの構成を示す概略ブロック図である。同図において図２の各部に対応する部分には同一の符号（２０１〜２０５、２０７〜２１８）を付け、その説明を省略する。また、図１０に示すように、基地局装置２００ｂは、図２に示す基地局装置２００とは、スケジューリング部２０６に替えてスケジューリング部２０６ｂを備える点のみが異なる。スケジューリング部２０６ｂによるスケジューリングでは、優先順位は、少なくとも優先される順位と優先されない順位とに分類されており、高速移動していない移動局装置１００ｂ、すなわち制御情報取得部２１６から得た制御情報が高速移動していないことを表す情報を含む移動局装置１００ｂを、優先される順位に分類し、それ以外の移動局装置１００ｂを優先されない順位に分類し、スケジューリングを行う。
【００５６】
図１１は、本実施形態におけるスケジューリング部２０６ｂによるスケジューリング結果の例を示す図である。本実施形態のスケジューリング部２０６ｂによるスケジューリングは、移動局装置１００ｂでの伝搬路推定の結果を基に行う。図１１において、横軸は周波数軸であり、縦軸は伝搬特性（受信ＳＩＮＲ；受信信号対干渉雑音電力比）である。符号ＲＢ１〜１２を付した領域はシステム帯域（割当可能な帯域）内の各リソースブロックを示している。符号ＲＢ３、ＲＢ８、ＲＢ９、ＲＢ１１を付したリソースブロックは既に使用されているものとする、移動局装置Ｅは高速移動していない移動局装置１００ｂであり、移動局装置Ｆは高速移動している移動局装置１００ｂである。符号Ｃ１〜Ｃ４は、移動局装置Ｅの送信周波数信号をクラスタ化したものである。符号Ｃ５〜Ｃ８は、移動局装置Ｆの送信周波数信号をクラスタ化したものである。符号Ｌ６１は移動局装置Ｅの伝搬特性である。
【００５７】
本実施形態のスケジューリング部２０６ｂは、高速移動していない移動局装置（図１１では、移動局装置Ｅ）に、伝搬路推定部２０５から受けた各移動局装置１００の伝搬特性に基づき、優先して伝搬特性の良いリソースブロックを割当てるスケジューリングを行う。すなわち、スケジューリング部２０６ｂは、まず、高速移動していない移動局装置Ｅに対して、既に使用されているリソースブロック（ＲＢ３、ＲＢ８、ＲＢ９、ＲＢ１２）を除いた中で、伝搬特性の良いリソースブロックであるリソースブロックＲＢ１、ＲＢ４、ＲＢ５、ＲＢ６を選択して割り当てる。移動局装置Ｅは、これら割当てられたリソースブロックＲＢ１、ＲＢ４、ＲＢ５、ＲＢ６を、クラスタ化された送信周波数信号Ｃ１〜Ｃ４の伝送に使用する。次に、スケジューリング部２０６ｂは、高速移動している移動局装置Ｆに対して、例えば、伝搬特性の時間変動が大きいなどの為、未使用として余っているリソースブロックであるリソースブロックＲＢ２、ＲＢ７、ＲＢ１０、ＲＢ１２を割り当てる。なお、高速移動している移動局装置（図１１では移動局装置Ｆ）のクラスタを配置するリソースブロックの決定方法は、連続で割り当て可能な帯域を選択する方法でも良い。
【００５８】
図１２は、本実施形態における制御情報生成部１１５ｂによる高速移動の判定処理を説明するフローチャートである。まず、制御情報生成部１１５ｂは、受信部１１６から伝搬路推定値を取得し、上述のような方法で、伝搬路推定値の時間変動の大きさを算出する（Ｓｃ１）。次に、制御情報生成部１１５ｂは、ステップＳｃ１で算出した時間変動の大きさが、予め決められた閾値βより大きいか否かを判定する（Ｓｃ２）。閾値βより大きいと判定したときは、ステップＳｃ３に遷移して、制御情報生成部１１５ｂは、当該移動局装置１００ｂが高速移動していることを表す制御情報を生成し、ステップＳｃ５に遷移する。
【００５９】
一方、ステップＳｃ２にて、閾値βより大きくないと判定したときは、ステップＳｃ４に遷移して、制御情報生成部１１５ｂは、当該移動局装置１００ｂが高速移動していないことを表す制御情報を生成する。ステップＳｃ５では、制御情報生成部１１５ｂは、ステップＳｃ３またはＳｃ４にて生成した制御情報を制御情報多重部１１４に出力して、基地局装置２００ｂに送信する（Ｓｃ５）。
【００６０】
図１３は、本実施形態におけるスケジューリング部２０６ｂによるスケジューリング処理を説明するフローチャートである。同図において、図４に対応する部分には同一の符号（Ｓａ２、Ｓａ４〜Ｓａ８）を付して説明を省略する。図１３のスケジューリング部２０６ｂによるスケジューリング処理のフローチャートは、図４のスケジューリング部２０６のフローチャートと、ステップＳａ１、Ｓａ３それぞれに替えて、ステップＳｄ１、Ｓｄ３を備える点のみが異なる。
【００６１】
ステップＳｄ１では、スケジューリング部２０６ｂは、各移動局装置１００ｂが送信した制御情報を制御情報取得部２１６から取得し、各々の制御情報から送信元の移動局装置１００ｂが高速移動しているか否かを表す情報を取得する。ステップＳｄ３では、スケジューリング部２０６ｂは、ステップＳｄ２にて選択した移動局装置１００ｂの高速移動しているか否かを表す情報が、高速移動していないことを表しているか否かを判定する。
【００６２】
このように、本実施形態は、高速移動している移動局装置１００ｂより高速移動していない移動局装置１００ｂを優先的にスケジューリングすることにより、高速移動していない移動局装置１００ｂに伝搬特性の良好なリソースブロックが割当てられて周波数選択ダイバーシチ効果が得られるため、必要な伝搬特性が得られることが多くなる。すなわち、これらの移動局装置１００ｂにおいて、必要な伝搬特性が得られないことが発生するのを抑制できる。
【００６３】
なお、本実施形態において、移動局装置１００ｂの制御情報生成部１１５ｂは、伝搬路推定結果の時間変動を表す情報を含む制御情報を生成するとして説明したが、移動局装置１００ｂの制御情報生成部１１５ｂは、ＧＰＳ（Ｇｌｏｂａｌ  Ｐｏｓｉｔｉｏｎｉｎｇ  Ｓｙｓｔｅｍ；全球測位システム）の測位衛星が送信する信号の受信機能を備え、該信号に基づき算出した位置から移動速度を算出し、該移動速度を表す情報を含む制御情報を生成し、基地局装置２００ｂのスケジューリング部２０６ｂは、該制御情報の移動速度を用いるようにしてもよい。また、制御情報生成部１１５ｂは、基地局装置１００ｂからの受信信号のドップラー効果から移動速度を算出するようにしてもよい。
【００６４】
また、制御情報生成部１１５ｂが生成する制御情報は、移動速度を表す情報を含んでおらず、スケジューリング部２０６ｂは、伝搬路推定部２０５の伝搬路推定結果の時間変動が予め決められた閾値β’より多いときは、その移動局装置１００ｂは高速移動しており、伝搬路推定結果の時間変動が閾値β’より少ないときは、その移動局装置１００ｂは高速移動していないと判定するようにしてもよい。
【００６５】
一方、高速移動している移動局装置１００ｂについては、高速移動しているために伝搬路変動が多く、伝搬路推定を行ってから該推定結果に基づきスケジューリングされてクラスタ化された周波数信号を割当てて送信するまでの間に、伝搬特性が変わってしまう。このため、伝搬路推定の結果に基づき伝搬特性の良いリソースブロックを割当てても、得られる周波数選択ダイバーシチ効果は、高速移動していない移動局装置１００ｂに比べて少ない。そこで、高速移動していない移動局装置１００ｂに優先的に割当て、割当てられなかったリソースブロックを使用することで、周波数利用効率が向上する。
【００６６】
［第４の実施形態］
以下、図面を参照しながら、この発明の第４の実施形態について説明する。本実施形態における無線通信システムは、移動局装置１００と基地局装置２００ｃとを備え、伝送特性の悪い移動局装置１００が優先されるように優先順位を決定する。移動局装置１００は、図１に示す移動局装置１００と同じ構成であるが、要求されるＱｏＳを表す情報が、制御情報生成部１１５により生成される制御情報に含まれていなくてもよい。
【００６７】
図１４は、本実施形態における基地局装置２００ｃの構成を示す概略ブロック図である。同図において図２の各部に対応する部分には同一の符号（２０１〜２０５、２０７〜２１８）を付け、その説明を省略する。また、図１４に示すように、基地局装置２００ｃは、図２に示す基地局装置２００とは、スケジューリング部２０６に替えてスケジューリング部２０６ｃを備える点のみが異なる。スケジューリング部２０６ｃによるスケジューリングでは、優先順位は、少なくとも優先される順位と優先されない順位とに分類されており、伝搬特性の悪い移動局装置１００、すなわち伝搬路推定部２０５による伝搬路推定結果から算出したシステム帯域の伝搬特性を表す値が閾値γより悪い移動局装置１００を、優先される順位に分類し、それ以外の移動局装置１００を優先されない順位に分類し、スケジューリングを行う。ここで、スケジューリング部２０６ｃは、システム帯域の伝搬特性を表す値を、伝搬路推定部２０５による各リソースブロックの伝搬特性について、システム帯域の平均をとることで算出する。なお、本実施形態では、スケジューリング部２０６ｃは、閾値γとして予め決められた値を用いて各移動局装置１００の伝搬特性が良いか悪いかを判定しているが、全移動局装置１００の伝搬特性の平均値を算出し、この平均値を閾値γとしてもよいし、全ての移動局装置１００の伝搬特性の中央値を閾値γとして用いてもよい。
【００６８】
図１５は、本実施形態におけるスケジューリング部２０６ｃによるスケジューリング結果の例を示す図である。本実施形態のスケジューリング部２０６ｃによるスケジューリングは、基地局装置２００ｃでの伝搬路推定の結果を基に行う。図１５において、横軸は周波数軸であり、縦軸は伝搬特性（受信ＳＩＮＲ；受信信号対干渉雑音電力比）である。符号ＲＢ１〜１２を付した領域はシステム帯域（割当可能な帯域）内の各リソースブロックを示している。移動局装置Ｇは、移動局装置Ｈより伝搬特性の悪い移動局装置１００とする。符号Ｃ１〜Ｃ４は、移動局装置Ｇの送信周波数信号をクラスタ化したものである。符号Ｃ５〜Ｃ８は、移動局装置Ｈの送信周波数信号をクラスタ化したものである。符号Ｌ７１は移動局装置Ｇの各リソースブロックの伝搬特性であり、符号Ｌ７２は移動局装置Ｈの各リソースブロックの伝搬特性とする。
【００６９】
図１５に示す例では、スケジューリング部２０６ｃは、伝搬特性の悪い移動局装置Ｇを優先的にスケジューリングし、割り当て可能なリソースブロックの中で伝搬特性が良いリソースブロックＲＢ３、ＲＢ４、ＲＢ５、ＲＢ７を割り当てる。移動局装置Ｇは、これら割当てられたリソースブロックＲＢ３、ＲＢ４、ＲＢ５、ＲＢ７を、クラスタ化した送信周波数信号Ｃ１〜Ｃ４の伝送に使用する。移動局装置Ｈは、移動局装置Ｇへ割り当てが行われたリソースブロックＲＢ３、ＲＢ４、ＲＢ５、ＲＢ７を除いた中から、伝搬特性の良いリソースブロックを割り当てる。なお、図１５の例では伝搬特性の良い移動局装置Ｈには未使用の中で伝搬特性の良いリソースブロックを割り当てたが、連続で割り当て可能なリソースブロックを選択する等の伝搬特性やＱｏＳ等の制御情報と関係ない選択方法を用いるようにしても良い。
【００７０】
このように、本実施形態は、伝搬特性の良い移動局装置１００より伝搬特性の悪い移動局装置１００を優先的にスケジューリングすることにより、伝搬特性の悪い移動局装置１００に伝搬特性の良好なリソースブロックが割当てられて周波数選択ダイバーシチ効果が得られるため、必要な伝搬特性が得られることが多くなる。すなわち、これらの移動局装置１００において、必要な伝搬特性が得られないことが発生するのを抑制できる。
【００７１】
図１６は、本実施形態のスケジューリング部２０６ｃによる移動局装置１００の判定手順を示すフローチャートである。まず、スケジューリング部２０６ｃは、ステップＳ１において、伝搬路推定部２０５が移動局装置１００の割り当て可能な各リソースブロックの受信ＳＩＮＲを測定し、スケジューリング部２０６ｃはこれらの測定結果を取得する。ステップＳ２で、スケジューリング部２０６ｃは、測定した受信ＳＩＮＲの全リソースブロックの平均値を算出する。ステップＳ３において、スケジューリング部２０６ｃは、算出した受信ＳＩＮＲの平均値と予め決められた閾値γとを比較する。ステップＳ４において、スケジューリング部２０６ｃは、受信ＳＩＮＲの平均値が閾値γより低い移動局装置１００を優先的にスケジューリングする移動局装置１００に分類し、受信ＳＩＮＲの平均値が閾値γより高い移動局装置１００を優先しない移動局装置１００に分類する。
【００７２】
なお、上述の第１から第４の実施形態では、移動局装置から基地局装置への通信である上り回線の通信に本発明を用いた場合を説明しているが、本発明を下り回線に用いてもよい。
また、上述の第１の第４の実施形態では、ＤＦＴ部１０５は、時間周波数変換として離散フーリエ変換を用いて、送信信号の変調シンボルの系列を周波数信号に変換するとして説明したが、その他の変換方法により時間周波数変換を行ってもよい。
【００７３】
また、図１におけるレート検出部１０１、クラスタ割当検出部１０２、符号部１０３、変調部１０４、ＤＦＴ部１０５、クラスタ分割部１０６、クラスタ配置部１０７、ＩＤＦＴ部１０８、参照信号生成部１０９、参照信号多重部１１０、ＣＰ挿入部１１１、制御情報多重部１１４、制御情報生成部１１５、受信部１１６、および図２におけるＣＰ除去部２０３、参照信号分離部２０４、伝搬路推定部２０５、スケジューリング部２０６、制御情報信号生成部２０８、ＤＦＴ部２０９、クラスタ抽出部２１０、等化部２１１、クラスタ結合部２１２、ＩＤＦＴ部２１３、復調部２１４、復号部２１５、制御情報取得部２１６、制御情報分離部２１７、および図５の制御情報生成部１１５ａ、および図６のスケジューリング部２０６ａ、および図９の制御情報生成部１１５ｂ、および図１０のスケジューリング部２０６ｂ、および図１４のスケジューリング部２０６ｃの機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００７４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００７５】
以上、この発明の実施形態を図面を参照して詳述してきたが、具体的な構成はこの実施形態に限られるものではなく、この発明の要旨を逸脱しない範囲の設計変更等も含まれる。
【産業上の利用可能性】
【００７６】
本発明は、移動局装置を携帯電話装置とする移動体通信システムに用いて好適であるが、これに限定されない。
【図面の簡単な説明】
【００７７】
【図１】この発明の第１の実施形態における移動局装置１００の構成を示す概略ブロック図である。
【図２】同実施形態における基地局装置２００の構成を示す概略ブロック図である。
【図３】同実施形態におけるスケジューリング部２０６によるスケジューリングの例を示す図である。
【図４】同実施形態におけるスケジューリング部２０６によるスケジューリング処理を説明するフローチャートである。
【図５】この発明の第２の実施形態における移動局装置１００ａの構成を示す概略ブロック図である。
【図６】同実施形態における基地局装置２００ａの構成を示す概略ブロック図である。
【図７】同実施形態におけるスケジューリング部２０６ａによるスケジューリング結果の例を示す図である。
【図８】同実施形態におけるスケジューリング部２０６ａによるスケジューリング処理を説明するフローチャートである。
【図９】この発明の第３の実施形態における移動局装置１００ｂの構成を示す概略ブロック図である。
【図１０】同実施形態における基地局装置２００ｂの構成を示す概略ブロック図である。
【図１１】同実施形態におけるスケジューリング部２０６ｂによるスケジューリング結果の例を示す図である。
【図１２】同実施形態における制御情報生成部１１５ｂによる高速移動の判定処理を説明するフローチャートである。
【図１３】同実施形態におけるスケジューリング部２０６ｂによるスケジューリング処理を説明するフローチャートである。
【図１４】この発明の第４の実施形態における基地局装置２００ｃの構成を示す概略ブロック図である。
【図１５】同実施形態におけるスケジューリング部２０６ｃによるスケジューリング結果の例を示す図である。
【図１６】同実施形態のスケジューリング部２０６ｃによる移動局装置１００の判定手順を示すフローチャートである。
【符号の説明】
【００７８】
１００、１００ａ、１００ｂ…移動局装置
１０１…レート検出部
１０２…クラスタ割当検出部
１０３…符号部
１０４…変調部
１０５…ＤＦＴ部
１０６…クラスタ分割部
１０７…クラスタ配置部
１０８…ＩＤＦＴ部
１０９…参照信号生成部
１１０…参照信号多重部
１１１…ＣＰ挿入部
１１２…無線部
１１３…送受信アンテナ
１１４…制御情報多重部
１１５、１１５ａ、１１５ｂ…制御情報生成部
１１６…受信部
２００、２００ａ、２００ｂ、２００ｃ…基地局装置
２０１…送受信アンテナ
２０２…無線部
２０３…ＣＰ除去部
２０４…参照信号分離部
２０５…伝搬路推定部
２０６、２０６ａ、２０６ｂ、２０６ｃ…スケジューリング部
２０７…バッファ
２０８…制御情報信号生成部
２０９…ＤＦＴ部
２１０…クラスタ抽出部
２１１…等化部
２１２…クラスタ結合部
２１３…ＩＤＦＴ部
２１４…復調部
２１５…復号部
２１６…制御情報取得部
２１７…制御情報分離部
２１８…送信部
【図１】
2010081349.tif 000003
【図２】
2010081349.tif 000004
【図３】
2010081349.tif 000005
【図４】
2010081349.tif 000006
【図５】
2010081349.tif 000007
【図６】
2010081349.tif 000008
【図７】
2010081349.tif 000009
【図８】
2010081349.tif 000010
【図９】
2010081349.tif 000011
【図１０】
2010081349.tif 000012
【図１１】
2010081349.tif 000013
【図１２】
2010081349.tif 000014
【図１３】
2010081349.tif 000015
【図１４】
2010081349.tif 000016
【図１５】
2010081349.tif 000017
【図１６】
2010081349.tif 000018